(57)【要約】【課題】低消費電力で、かつ、衣類が傷まないような衣類乾燥できることを目的とする。【解決手段】外枠２内に、横流ファン３と、横流ファン３を回転させるモータ４と、風向風速制御装置５とを備えた送風装置１であって、外枠２の背面に室内の空気を吸い込む吸込口６と、外枠２の底面に室内の空気を吸い込んだ空気を吹き出す風向風速制御装置５を備えた吹出口７を設け、風向風速制御装置５により室内の衣類８に吸い込んだ空気を吹き当てることにより、低消費電力で、かつ、衣類が傷まないような衣類乾燥できる送風装置を提供できる。【選択図】図１
2010259485.tif 000002
【特許請求の範囲】
【請求項１】
外枠内に、横流ファンと、前記横流ファンを回転させるモータと、風向風速制御装置とを備えた送風装置であって、前記外枠の背面に室内の空気を吸い込む吸込口と、前記外枠の底面に前記室内の空気を吸い込んだ空気を吹き出す前記風向風速制御装置を備えた吹出口を設け、前記風向風速制御装置により室内の衣類に吸い込んだ空気を吹き当てることを特徴とした送風装置。
【請求項２】
外枠内に、横流ファンと、前記横流ファンを回転させるモータと、風向風速制御装置とを備えた送風装置であって、前記外枠の背面に室内の空気を吸い込む吸込口と、前記外枠の前面に前記室内の空気を吸い込んだ空気を吹き出す前記風向風速制御装置を備えた吹出口を設け、前記風向風速制御装置により室内の衣類に吸い込んだ空気を吹き当てることを特徴とした送風装置。
【請求項３】
前記外枠の前面にも前記室内の空気を吸い込んだ空気を吹き出す前記風向風速制御装置を備えることを特徴とした請求項１記載の送風装置。
【請求項４】
前記室内に前記外枠を設置する設置面に対し、垂直となるように前記吸込口にフィルターを設けたことを特徴とする請求項１〜３のいずれかに記載の送風装置。
【請求項５】
前記風向風速制御装置は、回動自在とした枠体内に所定間隔で左右方向に複数枚仕切板を配置したことを特徴とする請求項１〜４のいずれかに記載の送風装置。
【請求項６】
前記風向風速制御装置を前記外枠内に閉じた時、前記外枠の表面と面一になることを特徴とする請求項１〜５のいずれかに記載の送風装置。
【請求項７】
前記外枠内の前記吹出口の付近に静電霧化装置を設けることを特徴とする請求項１〜６のいずれかに記載の送風装置。
【請求項８】
前記室内に前記外枠を設置する設置面に対し、ほぼ平行となるように前記吸込口にフィルターを設けたことを特徴とする請求項１〜３、５〜７のいずれかに記載の送風装置。
【発明の詳細な説明】
【技術分野】
【０００１】
本発明は、衣類等を乾燥させることができる送風装置に関する。
【背景技術】
【０００２】
従来、この種の送風装置は、排気口を有する本体ケースと、浴室内の空気を吸い込むための吸込口と、吸い込んだ空気を浴室内にもどす吹出口とを有する本体パネルとを備えて箱状に形成され、本体ケースの内部には、吸込口から空気を吸引して送風するための送風手段と、送風ファンからの空気の送風方向を排気口や吹出口に切り換えるためのダンパーと、送風ファンが吸い込んだ空気を暖める加熱手段とを備えたものが知られている（例えば、特許文献１参照）。
【０００３】
以下、従来の送風装置について、図９を参照しながら説明する。
【０００４】
図９に示すように、本体は、本体ケース１０１と、吸込口１０２と吹出口１０３とを有する本体パネル１０４とにより箱状に形成される。本体ケース１０１は、側面に排気口１０５を有し、内部に送風手段としての送風機１０７と、加熱手段としてのヒーター１０９と、送風機１０７が送風する空気の風路を切り換えるダンパー１１０を備える。本体ケース１０１には、さらにダンパー１１０の動作を制御する制御手段（図示せず）を備える。
【０００５】
従来の送風装置を浴室の天井面１１３に設置して乾燥運転を行うと、送風機１０７が運転され、浴室内の空気が吸込口１０２から吸引される。送風機１０７により吸引送風される空気は、ダンパー１１０によって仕切られた吹出口１０３と連通する風路において、ヒーター１０９によって暖められ、この暖められた空気は吹出口１０３から浴室内へと戻される。またダンパー１１０は吹出口１０３と排気口１０５に同時に送風機１０７から供給される位置に開いており、吹出口１０３と排気口１０５より空気を送風することとなる。そして暖められた空気の循環を繰り返すことにより、浴室内につりさげた衣類等を乾燥することができる。
【先行技術文献】
【特許文献】
【０００６】
【特許文献１】特開平１０−３２８４９４号公報
【発明の概要】
【発明が解決しようとする課題】
【０００７】
このような従来の送風装置では、衣類を乾燥させようとした場合ヒーターを用いて熱風を衣類に当てて乾燥させていたが、消費電力がかかり、また、衣類が傷むという課題がある。
【０００８】
本発明は、このような従来の課題を解決するものであり、低消費電力で、かつ、衣類が傷まないような衣類乾燥できること送風装置を提供することを目的とする。
【課題を解決するための手段】
【０００９】
本発明の送風装置は、上記目的を達成するために、外枠内に、横流ファンと、前記横流ファンを回転させるモータと、風向風速制御装置とを備えた送風装置であって、前記外枠の背面に室内の空気を吸い込む吸込口と、前記外枠の底面に前記室内の空気を吸い込んだ空気を吹き出す前記風向風速制御装置を備えた吹出口を設け、前記風向風速制御装置により室内の衣類に吸い込んだ空気を吹き当てるものである。
【００１０】
また、他の手段は、外枠内に、横流ファンと、前記横流ファンを回転させるモータと、風向風速制御装置とを備えた送風装置であって、前記外枠の背面に室内の空気を吸い込む吸込口と、前記外枠の前面に前記室内の空気を吸い込んだ空気を吹き出す前記風向風速制御装置を備えた吹出口を設け、前記風向風速制御装置により室内の衣類に吸い込んだ空気を吹き当てるものである。
【００１１】
また、他の手段は、前記外枠の前面にも前記室内の空気を吸い込んだ空気を吹き出す前記風向風速制御装置を備えるものである。
【００１２】
また、他の手段は、前記室内に前記外枠を設置する設置面に対し、垂直となるように前記吸込口にフィルターを設けたものである。
【００１３】
また、他の手段は、前記風向風速制御装置は、回動自在とした枠体内に所定間隔で左右方向に複数枚仕切板を配置したものである。
【００１４】
また、他の手段は、前記風向風速制御装置を前記外枠内に閉じた時、前記外枠の表面と面一になるものである。
【００１５】
また、他の手段は、前記外枠内の前記吹出口の付近に静電霧化装置を設けるものである。
【００１６】
また、他の手段は、前記室内に前記外枠を設置する設置面に対し、ほぼ平行となるように前記吸込口にフィルターを設けたものである。
【発明の効果】
【００１７】
本発明によれば、外枠内に、横流ファンと、前記横流ファンを回転させるモータと、風向風速制御装置とを備えた送風装置であって、前記外枠の背面に室内の空気を吸い込む吸込口と、前記外枠の底面に前記室内の空気を吸い込んだ空気を吹き出す前記風向風速制御装置を備えた吹出口を設け、前記風向風速制御装置により室内の衣類に吸い込んだ空気を吹き当てることにより、低消費電力で、かつ、衣類が傷まないような衣類乾燥できるという効果のある送風装置を提供することができる。
【００１８】
また、外枠内に、横流ファンと、前記横流ファンを回転させるモータと、風向風速制御装置とを備えた送風装置であって、前記外枠の背面に室内の空気を吸い込む吸込口と、前記外枠の前面に前記室内の空気を吸い込んだ空気を吹き出す前記風向風速制御装置を備えた吹出口を設け、前記風向風速制御装置により室内の衣類に吸い込んだ空気を吹き当てることにより、低消費電力で、かつ、衣類が傷まないような衣類乾燥できるとともに、室内の汚染物質を留まらせなくすることができるという効果のある送風装置を提供することができる。
【００１９】
また、前記外枠の前面にも前記室内の空気を吸い込んだ空気を吹き出す前記風向風速制御装置を備えることにより、低消費電力で、かつ、衣類が傷まないような適切な衣類乾燥ができるとともに、室内の汚染物質を留まらせなくすることができるという効果のある送風装置を提供することができる。
【００２０】
また、前記室内に前記外枠を設置する設置面に対し、垂直となるように前記吸込口にフィルターを設けたことにより、吹出口から清浄な空気を吹き出すとともに、垂直となるように吸込口へフィルターを設けたので、フィルター付着したほこり等付着物が室内に落下しないという効果のある送風装置を提供することができる。
【００２１】
また、前記風向風速制御装置は、回動自在とした枠体内に所定間隔で左右方向に複数枚仕切板を配置したことにより、吹出口からの風が風速を落とさず室内の衣類に万遍なく吹き当てるので、低消費電力で、かつ、衣類が傷まないような衣類乾燥できるという効果のある送風装置を提供することができる。
【００２２】
また、前記風向風速制御装置を前記外枠内に閉じた時、前記外枠の表面と面一になることにより、閉じた風向風速制御装置と外枠の表面と面一になり、外枠表面の汚れを拭き易くでき、かつ、外観の見栄えをよくすることができるという効果のある送風装置を提供することができる。
【００２３】
また、前記外枠内の前記吹出口の付近に静電霧化装置を設けることにより、衣類および室内を除菌をすることができるという効果のある送風装置を提供することができる。
【００２４】
また、前記室内に前記外枠を設置する設置面に対し、ほぼ平行となるように前記吸込口にフィルターを設けたことにより、吹出口から清浄な空気を吹き出すとともに、垂直となるように吸込口にフィルターを設けたので、室内側から目視できるのでメンテを向上することができるという効果のある送風装置を提供することができる。
【図面の簡単な説明】
【００２５】
【図１】本発明の実施の形態１の送風装置を示す図（（ａ）内部断面図、（ｂ）側断面図）
【図２】同送装置の風向風速制御装置の斜視図
【図３】同送装置の送風装置を壁面へ取り付けた側断面図
【図４】同送装置の風向風速制御装置と風向の関係を示す図（（ａ）縮流時の図、（ｂ）拡流時の図）
【図５】本発明の実施の形態２の送風装置の側断面図
【図６】本発明の実施の形態３の送風装置の側断面図
【図７】同送装置の風向風速制御装置の動作例を示す図（（ａ）底面風向風速制御装置開放時の側断面図、（ｂ）前面風向風速制御装置開放時の側断面図）
【図８】本発明の実施の形態４の送風装置を示す図（（ａ）側断面図、（ｂ）天井裏設置図）
【図９】従来の送風装置を示す断面図
【発明を実施するための形態】
【００２６】
本発明の請求項１記載の送風装置は、外枠内に、横流ファンと、前記横流ファンを回転させるモータと、風向風速制御装置とを備えた送風装置であって、前記外枠の背面に室内の空気を吸い込む吸込口と、前記外枠の底面に前記室内の空気を吸い込んだ空気を吹き出す前記風向風速制御装置を備えた吹出口を設け、前記風向風速制御装置により室内の衣類に吸い込んだ空気を吹き当てることとしたものであり、外枠の背面の吸込口から室内の空気を吸い込み、吸い込んだ空気を外枠の底面すなわち室内側に設けた風向風速制御装置を備えた吹出口から室内へ吹き出し、風向風速制御装置により室内の衣類に吸い込んだ空気を吹き当てるという作用を有する。
【００２７】
また、外枠内に、横流ファンと、前記横流ファンを回転させるモータと、風向風速制御装置とを備えた送風装置であって、前記外枠の背面に室内の空気を吸い込む吸込口と、前記外枠の前面に前記室内の空気を吸い込んだ空気を吹き出す前記風向風速制御装置を備えた吹出口を設け、前記風向風速制御装置により室内の衣類に吸い込んだ空気を吹き当てることとしたものであり、外枠の背面の吸込口から室内の空気を吸い込み、吸い込んだ空気を外枠の前面に設けた風向風速制御装置を備えた吹出口から室内へ吹き出し、風向風速制御装置により室内の衣類に吸い込んだ空気を吹き当てるとともに、室内の壁面および床面に沿って流れ、吸込口に吸い込ませるという作用を有する。
【００２８】
また、前記外枠の前面にも前記室内の空気を吸い込んだ空気を吹き出す前記風向風速制御装置を備えることとしたものであり、外枠の背面の吸込口から室内の空気を吸い込み、吸い込んだ空気を外枠の前面に設けた風向風速制御装置を備えた吹出口から室内へ吹き出し、風向風速制御装置により室内の衣類に吸い込んだ空気を適切に吹き当てるとともに、室内の壁面および床面に沿って流れ、吸込口に吸い込ませるという作用を有する。
【００２９】
また、前記室内に前記外枠を設置する設置面に対し、垂直となるように前記吸込口にフィルターを設けたこととしたものであり、フィルターを、室内の外枠を設置する設置面に対して垂直となるように吸込口へフィルターを取り付け設置するという作用を有する。
【００３０】
また、前記風向風速制御装置は、回動自在とした枠体内に所定間隔で左右方向に複数枚仕切板を配置したこととしたものであり、風向風速制御装置の回動自在とした枠体内により風が整流及び偏向され、そして、所定間隔で左右方向に複数枚仕切板の間から風が室内に吹き出されるという作用を有する。
【００３１】
また、前記風向風速制御装置を前記外枠内に閉じた時、前記外枠の表面と面一になることとしたものであり、風向風速制御装置を外枠内に閉じた時、風向風速制御装置と外枠との表面が段差なく面一に収まるという作用を有する。
【００３２】
また、前記外枠内の前記吹出口の付近に静電霧化装置を設けることとしたものであり、静電霧化装置から微細水マイナスイオンを発生させ、衣類に当てるとともに、室内全体に供給するという作用を有する。
【００３３】
また、前記室内に前記外枠を設置する設置面に対し、ほぼ平行となるように前記吸込口にフィルターを設けたこととしたものであり、フィルターを、室内の外枠を設置する設置面に対して平行に吸込口からフィルターを取り付け設置するという作用を有する。
【００３４】
以下、本発明の実施の形態について、図面を参照しながら説明する。
【００３５】
（実施の形態１）
図１（ａ）は、本発明の送風装置１の内部断面図、図１（ｂ）は天井面に設置した側断面図を示し、図において、外枠２内に、横流ファン３と、横流ファン３を回転させるモータ４と、風向風速制御装置５とを備えた送風装置１であって、外枠２の背面に室内の空気を吸い込む吸込口６と、外枠２の底面に室内の空気を吸い込んだ空気を吹き出す風向風速制御装置５を備えた吹出口７を設け、風向風速制御装置５により室内の衣類８に吸い込んだ空気を吹き当てる構成とする。なお、図では天井面に設置されているが、壁面へ設置することも可能であり、この場合も同様に風向風速制御装置５により室内の衣類８に吸い込んだ空気を吹き当てることができる構成となる。
【００３６】
また、室内に外枠２を設置する設置面９に対し、垂直となるように吸込口６にフィルター１０を設けた構成とする。
【００３７】
また、風向風速制御装置５は、回動自在とした枠体１１内に所定間隔で左右方向に複数枚仕切板１２を配置した構成とする。ここで、図２に風向風速制御装置５の斜視図を示す。図において、風向風速制御装置５は、枠体１１として、前面板１１ａおよび背面板１１ｂを備え、仕切板１２は前面板１１ａと背面板１１ｂで挟まれ固定されている。
【００３８】
また、風向風速制御装置５を回動させ閉じた時、前面板１１ａが外枠２の表面と面一になる構成とする。この際、仕切板１２および背面板１１ｂは外枠２内に格納される。
【００３９】
また、外枠２内の吹出口７の付近に静電霧化装置１３を設ける構成とする。ここで、静電霧化装置１３は微細水マイナスイオンを放出する放出部１４を備え、また、放出部１４に接続され吹出口７付近へ連通する案内風路１５を備え、放出された微細水マイナスイオンは案内風路１５により吹出口７へ導かれる。なお、静電霧化装置１３及び放出部１４、その他各部品の配置位置によっては、案内風路１５を設けずとも、微細水マイナスイオンを吹出口７へ導くことが可能である。
【００４０】
上記構成により、モータ４で横流ファン３を回転させることにより、外枠２の背面の吸込口６からフィルター１０を通して室内の空気を吸い込み、吸い込んだ空気を外枠２の底面すなわち室内側に設けた風向風速制御装置５を備えた吹出口７から室内へ吹き出し、風向風速制御装置５により室内の衣類８に吸い込んだ空気を吹き当てる。
【００４１】
このように本発明の実施の形態１の送風装置１によれば、ヒーター等の熱源を用いず、送風のみで衣類８の乾燥を行うため、低消費電力で、かつ、衣類８が傷まないような衣類乾燥ができることとなる。
【００４２】
なお、送風装置１の外観を図のような矩形とすることで、外枠２表面にほこり等が溜まることがなく、さらに、凹凸がほとんど存在しない形状とすることで、表面を隅々まで拭き取りやすいため、掃除等が容易となるといった効果も期待できる。
【００４３】
また、フィルター１０を、室内の外枠２を設置する設置面９に対して垂直となるように、吸込口６へフィルター１０を取り付け設置する。ここで、図において、フィルター１０によって捕集されたほこり等の付着物１６は、付着物１６にかかる重力方向に対してフィルター１０が遮るような配置となっている。
【００４４】
これにより、フィルター１０によりほこり等を捕集し、吹出口７及び風向風速制御装置５から清浄な空気を吹き出すとともに、捕集された付着物１６はフィルター１０の遮りにより再度室内に落下しないこととなる。なお、図３に示すように、送風装置１を壁面へ取り付けることも可能であり、この時、フィルター１０により捕集された付着物１６は、より確実にフィルター１０によって遮られることで、再度室内に落下しないため、さらなる効果が期待できる。
【００４５】
また、風向風速制御装置５を風が通過する際には、風が前面板１１ａと背面板１１ｂの間を通り、仕切板１２により整流及び偏向され吹き出されるため、前面板１１ａ、背面板１１ｂ及び仕切板１２の形状により風速及び風向を様々に変更することができる。さらに、風向風速制御装置５が回動可能であるため、風向を変化させることができ、さらに、風向風速制御装置５に対しする風の流入及び流出方向を逆転させることができるため、さらなる風向、風速の変化を行うことができる。ここで、一例として、図４（ａ）及び図４（ｂ）に風向風速制御装置５と風の流入出との関係を示す。図において、仕切板１２は風の流入方向に対して一部が傾斜して配置されている。図４（ａ）において、風向風速制御装置５に対して風が風向１７のように流入、流出するときは、仕切板１２の形状が風向１７に対して風路を狭める形状となっているため、吹出だされる風は縮流された強い風となる。また、図４（ｂ）において、風向風速制御装置５は図４（ａ）の位置から回動させ反転させることで図の配置となり、仕切板１２の形状が風向１７に対して風路を広げる形状となっているため、広い範囲に風が吹き出される。
【００４６】
これにより、吹出口７からの風を風向風速制御装置５により、風速を落とさず室内の衣類８に万遍なく吹き当てるように風速及び風向を最適とすることができるため、低消費電力で、かつ、衣類８が傷まないような衣類乾燥ができることとなる。なお、図４で示した例では、水平方向に対して風向１７の変化を与えているが、例えば、前面板１１ａ及び背面板１１ｂを流入方向に対して傾斜して配置することにより、鉛直方向に対しても風の縮流及び拡流を行うことができ、より最適な風速及び風向の設定が可能となるため、更なる効果が期待できる。
【００４７】
また、風向風速制御装置５を外枠２内に閉じた時、風向風速制御装置５の仕切板１２及び背面板１１ｂが外枠２内に格納され外部から見えなくなり、さらに吹出口７を塞ぐために前面板１１ａは外部に露出することとなるが、外枠２との表面が段差なく面一に収まる。
【００４８】
これにより、閉じた風向風速制御装置５と外枠２の表面と面一になり、段差が無いため外枠２表面の汚れを拭き易くでき、かつ、外観の見栄えをよくすることができることとなる。
【００４９】
また、静電霧化装置１３から微細水マイナスイオンを発生させ、吹出口７から散布させた微細水マイナスイオンを、衣類８に当てるとともに、室内全体に供給する。
【００５０】
これにより、衣類８及び室内を微細水マイナスイオンにより除菌をすることができることとなる。
【００５１】
（実施の形態２）
図５において、図１と同様の構成要素については同一の符号を付し、その詳細な説明は省略する。
【００５２】
図５は本発明の実施の形態２の送風装置１を室内の天井面に設置した側断面図を示し、外枠２の前面に室内の空気を吸い込んだ空気を吹き出す風向風速制御装置５を備えた吹出口７を設け、風向風速制御装置５により室内の衣類８に吸い込んだ空気を吹き当てる構成とする。
【００５３】
上記構成により、外枠２の背面の吸込口６から室内の空気を吸い込み、吸い込んだ空気を外枠２の前面に設けた風向風速制御装置５を備えた吹出口７から室内へ吹き出し、風向風速制御装置５により室内の衣類８に吸い込んだ空気を吹き当てるとともに、室内の壁面および床面に沿って流れ、吸込口６からフィルター１０を通して吸い込ませる。つまり、室内の空気は送風装置１により繰り返し吹出しと吸込みが行われ、その都度、フィルター１０によりほこり等の汚染物質を捕集する。
【００５４】
このように本発明の実施の形態２の送風装置１によれば、低消費電力で、かつ、衣類８が傷まないような衣類乾燥できるとともに、室内の汚染物質を留まらせなくすることができることとなる。
【００５５】
（実施の形態３）
図６において、図１と同様の構成要素については同一の符号を付し、その詳細な説明は省略する。
【００５６】
図６は本発明の実施の形態３の送風装置１を室内の天井面に設置した側断面図を示し、外枠２の底面だけでなく、前面にも室内の空気を吸い込んだ空気を吹き出す風向風速制御装置５を備える構成とする。底面側に底面風向風速制御装置５ａ、前面側に前面風向風速制御装置５ｂを備え、各々が独立して回動可能である。
【００５７】
上記構成により、外枠２の背面の吸込口６から室内の空気を吸い込み、吸い込んだ空気を外枠２の前面及び底面に設けた底面風向風速制御装置５ａ及び前面風向風速制御装置５ｂから室内へ吹き出し、室内の衣類８に吸い込んだ空気を適切に吹き当てるとともに、室内の壁面および床面に沿って流れ、吸込口６に吸い込ませる。ここで一例として、図７（ａ）及び（ｂ）に２種類の風向風速制御装置としての底面風向風速制御装置５ａと前面風向風速制御装置５ｂの動作例を示す。例えば、図７（ａ）に示すように、底面風向風速制御装置５ａを開放及び回動させることにより、室内側への風の流れを強く発生させ、衣類８へ風を当てる。一方、図７（ｂ）に示すように、前面風向風速制御装置５ｂを開放及び回動させることにより、壁面及び床面に沿う風の流れを強く発生させる。なお、送風装置１の設置位置や、衣類８との位置関係によっては、底面風向風速制御装置５ａにより壁面及び床面に沿う風の流れを強く発生させ、前面風向風速制御装置５ｂにより衣類８へ風を当てることも可能である。また、底面風向風速制御装置５ａ及び前面風向風速制御装置５ｂの両方を同時に開放及び回動させることも可能である。
【００５８】
このように本発明の実施の形態３の送風装置によれば、低消費電力で、かつ、底面風向風速制御装置５ａから送られる風により、衣類８が傷まないような適切な衣類乾燥ができるとともに、前面風向風速制御装置５ｂから送られる風により、室内の汚染物質を留まらせなくすることができることとなる。
【００５９】
（実施の形態４）
図８において、図１と同様の構成要素については同一の符号を付し、その詳細な説明は省略する。
【００６０】
図８（ａ）は本発明の実施の形態３の送風装置１を室内の天井面に設置した側断面図を示し、室内に外枠２を設置する設置面９に対し、ほぼ平行となるように吸込口６にフィルター１０を設けた構成とする。例えば、図に示すように、フィルター１０は外枠２の底面に設置され、設置面９に対してほぼ平行となっている。
【００６１】
上記構成により、フィルター１０を、室内の外枠２を設置する設置面９に対して平行となるように、吸込口６へフィルター１０を取り付け設置する。
【００６２】
このように本発明の実施の形態４の送風装置１によれば、吹出口７から清浄な空気を吹き出すとともに、平行となるように吸込口６にフィルター１０を設けたので、室内側から目視できるのでメンテを向上することができることとなる。
【００６３】
なお、図８（ｂ）に示すように、外枠２の底面に設置されるフィルター１０に対して同一平面に吹出口７を備える構成とすることにより、天井裏へ送風装置１を埋め込み、前面のみ室内側に露出させて設置することが可能となり、これにより、室内側にスペースを確保しなくとも設置が可能となり、かつ、室内側からの外観の見栄えをよくすることができることとなる。
【産業上の利用可能性】
【００６４】
本発明の送風装置は、室内に吊るした大量の衣類等に対して乾燥時間を短縮し、乾燥むらを防止する効果を有することから、洗濯乾燥室や、サウナ、サンルーム等にも適用することができる。また工場作業場等の人または対象物が点在する箇所において、少ない空調機またはエネルギーで効率よく空調する空調システムにも適用することができる。
【符号の説明】
【００６５】
１      送風装置
２      外枠
３      横流ファン
４      モータ
５      風向風速制御装置
５ａ    底面風向風速制御装置
５ｂ    前面風向風速制御装置
６      吸込口
７      吹出口
８      衣類
９      設置面
１０    フィルター
１１    枠体
１１ａ  前面板
１１ｂ  背面板
１２    仕切板
１３    静電霧化装置
１４    放出部
１５    案内風路
１６    付着物
１７    風向
【図１】
2010259485.tif 000003
【図２】
2010259485.tif 000004
【図３】
2010259485.tif 000005
【図４】
2010259485.tif 000006
【図５】
2010259485.tif 000007
【図６】
2010259485.tif 000008
【図７】
2010259485.tif 000009
【図８】
2010259485.tif 000010
【図９】
2010259485.tif 000011